(57)【要約】【課題】受入室内の郵便物を取り出す際、取出し口を開放した状態位置に取出し口開閉扉を保持しておくように構成した開位置保持機構を提供すること。【解決手段】郵便物等の投入口８と、該投入口から投入される郵便物等を受け入れる郵便物等の受入室９と、該受入室内の郵便物等を取り出すための郵便物等の取出し口１０とを有する略箱状の郵便物受け箱本体Ｂと、前記取出し口を開閉するべく前記郵便物受け箱の取出し口の上部側に設けた枢支軸により連結されている取出し口開閉扉Ｄとを含む郵便受け箱１において、取出し口開閉扉側に、該取出し口開閉扉の枢支軸のまわりにカム面１５を備えた回動カム部材１４を設け、郵便物受け箱本体側に、回動カム部材のカム面に圧接状態で接するカムフォロア１７を備えたカムフォロア組立体１６を設けてなる郵便受け箱等における取出し口開閉扉の開位置保持機構。【選択図】図１
2005087438.tif 000002
【特許請求の範囲】
【請求項１】
郵便物等の投入口と、前記投入口から投入される郵便物等を受け入れる郵便物等の受入室と、該受入室内の郵便物等を取り出すための郵便物等の取出し口とを有する略箱状の郵便物受け箱本体と、前記取出し口を開閉するべく前記郵便物受け箱の取出し口の上部側に設けた枢支軸により連結されている取出し口開閉扉とを含む郵便受け箱において、前記取出し口開閉扉側に、該取出し口開閉扉の枢支軸のまわりにカム面を備えた回動カム部材を設け、前記郵便物受け箱本体側に、前記回動カム部材のカム面に圧接状態で接するカムフォロアを備えたカムフォロア組立体を設けてなり、前記受入室内の郵便物を取り出す際、取出し口を開放した状態位置に取出し口開閉扉を保持するようにしたことを特徴とする郵便受け箱等における取出し口開閉扉の開位置保持機構。
【請求項２】
前記回動カム部材が、前記取出し口開閉扉に対して一体的に形成され、前記取出し口開閉扉を開閉回動する際、前記取出し口開閉扉の枢支軸のまわりに回動するカム面を備えており、前記カム面が枢支軸のまわりに沿ってのびる曲面部分と、前記取出し口開閉扉を取出し口閉止位置に保持する第１の凹部分と、前記取出し口開閉扉を取出し口を開放した状態で位置決めして保持する第２の凹部分とを有するものからなることを特徴とする請求項１に記載の郵便受け箱等における取出し口開閉扉の開位置保持機構。
【請求項３】
前記カムフォロア組立体が、前記郵便物受け箱本体側に取り付けられる板バネホルダー部材と、一端が前記板バネホルダー部材に固定される板バネ部材と、前記板バネ部材の自由端側に軸部材を介して回転可能に取り付けてあるローラ状のカムフォロアとを含むものからなることを特徴とする請求項１あるいは請求項２に記載の郵便受け箱等における取出し口開閉扉の開位置保持機構。
【請求項４】
前記カムフォロア組立体が、前記郵便物受け箱本体側に取り付けられる板バネホルダー部材と、一端が前記板バネホルダー部材に固定される板バネ部材と、前記板バネ部材の自由端側に取り付けてあるカムフォロア素子とを含むものからなることを特徴とする請求項１あるいは請求項２に記載の郵便受け箱等における取出し口開閉扉の開位置保持機構。
【請求項５】
前記カムフォロア組立体が、前記郵便物受け箱本体側に取り付けてある押圧手段と、前記押圧手段の出力端に取り付けてあるカムフォロア素子とを含むものからなることを特徴とする請求項１あるいは請求項２に記載の郵便受け箱等における取出し口開閉扉の開位置保持機構。
【発明の詳細な説明】
【技術分野】
【０００１】
この発明は、郵便物等の投入、投入された郵便物等の一時的収納、一時的に収納されている郵便物等の取出しの目的で設計されていて、上下に回動可能な取出し口開閉扉によって開閉可能とされる郵便物取出し口を有する郵便受け箱の構造に関するものであり、特に、受入室内の郵便物を取り出す際、取出し口を開放した状態位置に取出し口開閉扉を保持しておくように構成した郵便受け箱等における取出し口開閉扉の開位置保持機構に関するものである。
【背景技術】
【０００２】
周知のように、新聞あるいは各種郵便物等の配達物の投入、投入された郵便物等の一時的収納並びにこの一時的に収納されている郵便物等の取出しの目的で設計されている郵便受け箱は、略箱状の郵便受け箱本体に対して、その後面側に郵便物取出し口が形成されており、この郵便物取出し口を開閉する取出し口開閉扉が設けてある。このような構成になる郵便受け箱では、当該取出し口開閉扉が郵便受け箱本体に対して上下回動タイプのものであるため、受入室内に投入されている郵便物等を取り出す際、取出し口開閉扉の自重により該取出し口開閉扉が郵便物取出し口を閉じる方向に変移してしまうという問題を有していた。
【０００３】
上記する従来の郵便受け箱において、受入室内に投入されている郵便物等を取り出す際、取出し口開閉扉の自重による変移を防止して、取出し口開閉扉を郵便物取出し口を開放した状態で仮保持させて、上記する問題を解決するアイデアとして、例えば、 特許文献１あるいは特許文献２に記載のような構成になる郵便受け箱が提案されている。
【０００４】
この特許文献１あるいは特許文献２に記載の郵便受け箱によれば、上記する問題を解決するものの、例えば、特許文献１に記載のものは、スプリング１０によって付勢されたボール６を仮固定手段としたものであり、このような手段のものでは、まず第１に、構造が複雑で、設計が困難であり、第２には、スプリング１０によって付勢されたボール６による仮固定のための付勢力が、ポストの取出し扉４の両側縁を結ぶ方向に働く構成のものである点、さらにまた、取出し扉４の枢支軸３１から保持作用点（嵌合孔５とボール６）迄の距離が短いため、取出し扉４の自重によるトルクが大きく働いてしまうような構成である点などにより、仮固定の確実性に欠け、且つ、取出し扉４の自重により保持力が弱いなど、長期的な繰り返し使用により仮固定力が劣化するという問題点を有している。
【０００５】
一方、前記特許文献２に記載の郵便受け箱は、同様にして郵便受け箱における取出し口開閉扉を開放状態で保持するためのものであり、郵便物受入れスペースを確保するべく、取出し口開閉扉を上下スライド式に構成したものである。この特許文献２に記載の郵便受け箱における取出し口開閉扉は、上下スライド式のものであって、本発明とは具体的な構成において異なる。なお、この特許文献２に記載のものは、構造が極めて複雑なものであり、構成部材が多い等の点において問題を有するものであった。
【０００６】
【特許文献１】特開２００２−３１５６６５号公報（要約、図１）
【特許文献２】特開２００１−２９９５６１号公報（要約、図１）
【発明の開示】
【発明が解決しようとする課題】
【０００７】
そこで、この発明では、上記する従来技術の問題点を解消すべくなしたものであって、特に重要な要素は、構造を簡略化するとともに、受入室内の郵便物を取り出す際、取出し口を開放した状態位置に取出し口開閉扉を確実に保持しておくように構成した確実性の高い郵便受け箱等における取出し口開閉扉の開位置保持機構を提供するものである。
【課題を解決するための手段】
【０００８】
この発明は、上記する目的を達成するにあたって、具体的には、郵便物等の投入口と、該投入口から投入される郵便物等を受け入れる郵便物等の受入室と、該受入室内の郵便物等を取り出すための郵便物等の取出し口とを有する略箱状の郵便物受け箱本体と、前記取出し口を開閉するべく前記郵便物受け箱の取出し口の上部側に設けた枢支軸により連結されている取出し口開閉扉とを含む郵便受け箱において、前記取出し口開閉扉側に、該取出し口開閉扉の枢支軸のまわりにカム面を備えた回動カム部材を設け、前記郵便物受け箱本体側に、前記回動カム部材のカム面に圧接状態で接するカムフォロアを備えたカムフォロア組立体を設けてなり、前記受入室内の郵便物を取り出す際、取出し口を開放した状態位置に取出し口開閉扉を保持するようにした郵便受け箱等における取出し口開閉扉の開位置保持機構を構成するものである。
【０００９】
さらに、この発明において請求項２に記載の発明は、請求項１に記載の郵便受け箱等における取出し口開閉扉の開位置保持機構であって、前記回動カム部材が、前記取出し口開閉扉に対して一体的に形成され、前記取出し口開閉扉を開閉回動する際、前記取出し口開閉扉の枢支軸のまわりに回動するカム面を備えており、前記カム面が枢支軸のまわりに沿ってのびる曲面部分と、前記取出し口開閉扉を取出し口閉止位置に保持する第１の凹部分と、前記取出し口開閉扉を取出し口を開放した状態で位置決めして保持する第２の凹部分とを有するものからなることを特徴とするものである。
【００１０】
さらにまた、この発明において請求項３に記載の発明は、請求項１あるいは請求項２に記載の発明であって、前記カムフォロア組立体が、前記郵便物受け箱本体側に取り付けられる板バネホルダー部材と、一端が前記板バネホルダー部材に固定される板バネ部材と、前記板バネ部材の自由端側に軸部材を介して回転可能に取り付けてあるローラ状のカムフォロアとを含むものからなることを特徴とするものである。
【００１１】
さらにまた、この発明において請求項４に記載の発明は、請求項１あるいは請求項２に記載の発明であって、前記カムフォロア組立体が、前記郵便物受け箱本体側に取り付けられる板バネホルダー部材と、一端が前記板バネホルダー部材に固定される板バネ部材と、前記板バネ部材の自由端側に取り付けてあるカムフォロア素子とを含むものからなることを特徴とするものである。
【００１２】
さらにまた、この発明において請求項５に記載の発明は、請求項１あるいは請求項２に記載の発明であって、前記カムフォロア組立体が、前記郵便物受け箱本体側に取り付けてある押圧手段と、前記押圧手段の出力端に取り付けてあるカムフォロア素子とを含むものからなることを特徴とするものでもある。
【発明の効果】
【００１３】
この発明になる郵便受け箱等における取出し口開閉扉の開位置保持機構では、まず第１に、構造が極めて簡素的であり、部品点数が少なく、多量生産に適合する等の点において極めて有利に作用するものといえる。さらに、第２には、取出し口開閉扉側に、取出し口開閉扉の枢支軸のまわりにカム面を備えた回動カム部材を設け、郵便物受け箱本体側に、回動カム部材のカム面に圧接状態で接するカムフォロアを備えたカムフォロア組立体を設け、この回動カム部材とカムフォロア組立体とによって、取出し口開閉扉を開位置に保持するようにしたものであり、操作確実性の極めて高い開位置保持機構を提供し得る点においても極めて有効に作用するものといえる。さらに、第３には、カム形状を任意に設計することができ、カム形状、特に、第１の凹部分と第２の凹部分の形状的な設計により、取出し扉の開閉時における操作感触をスムースなものとすることができる点（板バネ部材ないしは押圧手段が回動カム部材側に駆動力として作用し、取出し扉の閉止時には、取出し扉を閉止位置に、あるいは取出し扉の開放時には、当該取出し扉を保持位置に向けて自動的に方向付けするため）においても極めて有効に作用するものといえる。
【発明を実施するための最良の形態】
【００１４】
以下、この発明になる郵便受け箱等における取出し口開閉扉の開位置保持機構について、図面に示す具体的な実施例に基づいて詳細に説明する。図１は、この発明を適用してなる箱型郵便受け箱の具体的な構成例を示す概略的な側断面図であり、図２は、この発明にかかる郵便受け箱等における取出し口開閉扉の開位置保持機構の詳細を示すものであって、図２Ａは、第１の実施例を示すものであり、扉が閉じている状態を実線であらわし、扉が開かれて、あらかじめ設定された開位置に保持されている状態を仮想線であらわした一部を破断して示す概略的な側断面図、図２Ｂは、カムフォロア組立体についての第２の実施例を示す概略的な側断面図である。
【００１５】
さらに、図３は、この発明を具体化するための一実施例を示すものであり、図３Ａは、郵便受け箱等における取出し口開閉扉の開位置保持機構のためのカムを一体的に備えた取出し口開閉扉について、その具体的な構成例を示す概略的な斜視図であり、図３Ｂは、図３Ａに示す取出し口開閉扉におけるカムに対応するものであって、郵便受け箱本体側に取り付けられるカムフォロア組立体について、その具体的な構成例を示す概略的な斜視図である。
【００１６】
さらにまた、図４は、この発明を具体化するための他の実施例を示すものであって、図４Ａは、板バネ部材に郵便物などが接しないように板バネ部材を保護するための保護カバーをカムフォロア組立体に組み合わせた構成例を示す概略的な斜視図であり、図４Ｂは、ローラ状のカムフォロアに代えて、板バネ部材の自由端側にカムフォロア素子を直接的に取り付けてなる構成例を示す概略的な斜視図である。
【００１７】
まず、この発明の適用になる箱型の郵便受け箱１は、図１に示すように、前壁構成部２、後壁構成部３、左右一対の側壁構成部４、５、天壁構成部６並びに底壁構成部７とによって略箱型状に形成されている。この箱型の郵便受け箱１は、前記前壁構成部２側に関連して郵便物等の投入口８が設けてあり、該投入口８から投入される郵便物等を受け入れ得るように、前記各壁構成部によって区画される郵便物等の受入室９を備え、該受入室９内の郵便物等を取り出すべく、前記後壁構成部３側に関連して郵便物等の取出し口１０が設けてあり、これらによって、郵便受け箱本体Ｂを構成する。
【００１８】
上記箱型の郵便受け箱１における前壁構成部２側に関連して設けた投入口８に対して、外側からの外力によって内側に向けて回動可能な投入口扉１１が取り付けてある。一般的には、この箱型の郵便受け箱１における前壁構成部２は、段差のある上部の前壁構成部２Ａと、下部の前壁構成部２Ｂとからなり、前記投入口扉１１を備えた投入口８は、上部の前壁構成部２Ａ側に形成してあり、当該投入口８から投入される郵便物等は、底壁構成部７に関連して、後方下がりに傾斜する傾斜床１２上を滑降するように構成してある。
【００１９】
一方、上記箱型の郵便受け箱１における後壁構成部３側に関連して設けた取出し口１０に対しては、該取出し口１０を開閉するべく郵便物受け箱１の取出し口の上部側に設けた枢支軸１３により取出し口開閉扉Ｄが連結されている。この発明における具体的な実施例では、前記取出し口開閉扉Ｄ側に、該取出し口開閉扉Ｄの枢支軸１３のまわりにカム面１５を備えた回動カム部材１４が設けられており、前記郵便物受け箱本体Ｂ側に、前記回動カム部材１４のカム面１５に圧接状態で接するカムフォロア１７を備えたカムフォロア組立体１６が設けられている。
【００２０】
この発明によれば、前記受入室９内の郵便物を取り出す際、取出し口１０を開放した状態位置に取出し口開閉扉Ｄを保持するように構成してある。すなわち、前記取出し口開閉扉Ｄは、図３Ａに示すような一体的な構造物によって構成されており、前記取出し口開閉扉Ｄの少なくとも一方の側縁部に回動カム部材１４が設けてある（図３Ａに示す実施例の場合は、扉Ｄの両方の側縁部に回動カム部材１４が設けてある）。前記取出し口開閉扉Ｄには、扉を引くための把手部１８並びに後述する南京錠取付け部材２０が挿通する挿通孔１９が設けてある。
【００２１】
前記回動カム部材１４は、前記取出し口開閉扉Ｄに対して一体的に形成され、前記取出し口開閉扉Ｄを開閉回動する際、前記取出し口開閉扉Ｄの枢支軸１３のまわりに回動するカム面１５を備えている。このカム面１５は、枢支軸１３のまわりに沿ってのびる曲面部分１５ａと、前記取出し口開閉扉Ｄを取出し口１０を閉止する位置に保持するための第１の凹部分１５ｂと、前記取出し口開閉扉Ｄを取出し口１０を開放した状態で位置決めして保持するための第２の凹部分１５ｃとを有するものからなっている。
【００２２】
これに対して、郵便受け箱本体Ｂには、図３Ｂに示すようなカムフォロア組立体１６が取り付けてある。このカムフォロア組立体１６は、前記郵便物受け箱本体Ｂ側に取り付けられる板バネホルダー部材２１と、一端２２ａが前記板バネホルダー部材２１に固定される板バネ部材２２と、前記板バネ部材２２の自由端側２２ｂに軸部材２３を介して回転可能に取り付けてあるローラ状のカムフォロア１７とを含むものからなっている。このカムフォロア組立体１６は、必要に応じて図４Ａに示すもののように、板バネ部材２２に郵便物などが接しないように板バネ部材２２を保護するための保護カバー２５を設けたものであってもよい。
【００２３】
この発明において、前記カムフォロア組立体１６は、上記する実施例に示すローラ状のカムフォロア１７に代えて、図３Ｂに示すもののように、前記板バネ部材２２の自由端側２２ｂにカムフォロア素子１７Ａを取り付けてたものであってもよいし、あるいは、前記板バネ部材２２における自由端側２２ｂの所定の部位を凸状に湾曲させることによって、前記カムフォロア素子に相応する構造（図示せず）に構成にしたものであってもよい。
【００２４】
さらにまた、この発明の他の実施例において、前記カムフォロア組立体１６は、図２Ｂに示すもののように、前記郵便物受け箱本体Ｂ側に取り付けてある押圧手段２６と、前記押圧手段２６の出力端に取り付けてあるカムフォロア素子１７Ｂとの組み合わせによって構成したものであってもよい。
【００２５】
前記郵便受け箱本体Ｂに対して、その取出し口１０を閉止した状態で、前記取出し口開閉扉Ｄをロックしておくために、前記郵便受け箱本体Ｂには、南京錠のＵ環（図示せず）が入り込む孔２４を備えた南京錠取付け部材２０が取り付けられており、前記取出し口開閉扉Ｄが閉止状態の位置にあるとき、前記南京錠取付け部材２０の先端部分が、取出し口開閉扉Ｄに設けてある挿通孔１９に挿通して、外部側に突出するように構成されている。
【００２６】
以上の構成になるこの発明の郵便受け箱等における取出し口開閉扉の開位置保持機構は、図２に示すように、例えば、取出し口開閉扉Ｄが閉じている状態では、カムフォロア組立体１６におけるカムフォロア１７が、回動カム部材１４における第１の凹部分１５ｂに係合して、閉止状態を保持する（図２において実線で示す）。図２において、前記取出し口開閉扉Ｄを、仮想線で示す位置まで回動操作すると、カムフォロア組立体１６におけるカムフォロア１７が、回動カム部材１４における第２の凹部分１５ｃに係合して、開放状態を保持する（図２において仮想線で示す）。
【図面の簡単な説明】
【００２７】
【図１】図１は、この発明を適用してなる箱型郵便受け箱の具体的な構成例を示す概略的な側断面図である。
【図２】図２は、この発明にかかる郵便受け箱等における取出し口開閉扉の開位置保持機構の詳細を示すものであって、図２Ａは、第１の実施例を示すものであり、扉が閉じている状態を実線であらわし、扉が開かれて、あらかじめ設定された開位置に保持されている状態を仮想線であらわした一部を破断して示す概略的な側断面図、図２Ｂは、カムフォロア組立体についての第２の実施例を示す概略的な側断面図である。
【図３】図３は、この発明を具体化するための一例を示すものであり、図３Ａは、郵便受け箱等における取出し口開閉扉の開位置保持機構のためのカムを一体的に備えた取出し口開閉扉について、その具体的な構成例を示す概略的な斜視図であり、図３Ｂは、図３Ａに示す取出し口開閉扉におけるカムに対応するものであって、郵便受け箱本体側に取り付けられるカムフォロア組立体について、その具体的な構成例を示す概略的な斜視図である。
【図４】図４は、この発明を具体化するための他の実施例を示すものであって、図４Ａは、板バネ部材に郵便物などが接しないように板バネ部材を保護するための保護カバーを設けた構成例を示す概略的な斜視図、図４Ｂは、ローラ状のカムフォロアに代えて、板バネ部材の自由端側にカムフォロア素子を取り付けてなる構成例を示す概略的な斜視図である。
【符号の説明】
【００２８】
１  箱型の郵便受け箱
Ｂ  郵便受け箱本体
Ｄ  取出し口開閉扉
２  前壁構成部
２Ａ  上部の前壁構成部
２Ｂ  下部の前壁構成部
３  後壁構成部
４、５  左右一対の側壁構成部
６  天壁構成部
７  底壁構成部
８  郵便物等の投入口
９  郵便物等の受入室
１０  郵便物等の取出し口
１１  投入口扉
１２  傾斜床
１３  枢支軸
１４  回動カム部材
１５  カム面
１５ａ  カム面の曲面部分
１５ｂ  カム面の第１の凹部分
１５ｃ  カム面の第２の凹部分
１６  カムフォロア組立体
１７  ローラ状のカムフォロア
１７Ａ、１７Ｂ  カムフォロア素子
１８  取出し口開閉扉の把手部
２１  板バネホルダー部材
２２  板バネ部材
２２ａ  板バネ部材の一端
２２ｂ  板バネ部材の自由端
２３  軸部材
２５  板バネ部材保護カバー
２６  押圧手段
【図１】
2005087438.tif 000003
【図２】
2005087438.tif 000004
【図３】
2005087438.tif 000005
【図４】
2005087438.tif 000006